(57)【要約】      （修正有）【課題】市販の空きボトルを使用して多量の常温水、又は少量の冷水が注入でき、且つ、設置場所を限定せずに広範囲に設置可能な常温水と冷水が同時販売可能な自動販売装置を提供する。【解決手段】給水配管部にそれぞれ並列接続して設けた常温水循環装置と、ミネラル濃縮液を注入したミネラルタンク１とミネラル注水ポンプ３を組み合せた冷水注入装置と、ミネラルタンク１内のミネラル冷水及び常温水を安定して注水する為の制御部２と、希望濃度選択ボタンＧから成り、該希望濃度選択ボタンＧと制御部２、及び制御部２とミネラル注水ポンプ３、制御部２と常温水循環装置とをそれぞれ連動させる事により、安定した常温水及び冷水を注入可能にした事を特徴とするものである。【選択図】図１
0003142439.tif 000002
【実用新案登録請求の範囲】
【請求項１】
水を販売するケーシング（Ｂ）で多量の水を出す場合は常温水を注水し、少量の水を出す場合は冷水を注水可能な自動販売機であって、該自動販売機は給水配管部にそれぞれ並列接続して設けた冷却水製造装置（４）と、ミネラル濃縮液を注入したミネラルタンク（１）とミネラル注水ポンプ（３）を組み合せたミネラル注入装置と、冷水と常温水の選択や、ミネラル注水ポンプを制御しミネラルの濃度を変更し製品水を注水する為の制御部（２）と、希望濃度及び水量選択ボタン（Ｇ）から成り、該希望濃度及び水量選択ボタン（Ｇ）と制御部（２）、及び制御部（２）とミネラル注水ポンプ（３）、制御部（２）と冷却水製造装置（４）とをそれぞれ連動させる事により、安定した常温水及び冷水を注入可能にした事を特徴とする常温水と冷水が同時販売可能な自動販売装置。
【考案の詳細な説明】
【技術分野】
【０００１】
この考案は、常温水と冷水が同時販売可能な自動販売装置に関するものである。
【背景技術】
【０００２】
従来、地下水や水道水を原料とし、浄化装置により濾過された水を、顧客が持参した容器に注水して販売する、水の販売装置が存在している。
【０００３】
従来のミネラル注入方法は、ミネラルポンプの回転数又は脈動数を変化させる事により濃度を変化させミネラルを注入していた。しかし、この方法では、注入流速がフィルターの圧力損失等で変化する。又、最終フィルター等にミネラルが残り、ミネラル濃度が安定せず、又、ミネラル濃縮液の供給方法が、ミネラル濃縮液タンクから直接ミネラル注入ポンプの供給側パイプを接続している為、作業者の不衛生等でミネラル注入する系統において雑菌が繁殖する可能性がある等の問題があった。
【０００４】
従って、これらの問題を解決すべく新たなミネラル濃度を安定させる事が出来る自動販売装置の早期開発が望まれていた。そして、考案し出願されたのが先に出願（登録実用新案第３１３６９９９号）したミネラル濃度安定型水の自動販売装置である。
【０００５】
ところが、従来の常温水のみの自動販売機に対して、水の購入客は、自ら持参した２リットル以上の容器に常温の水を注水するように成っている。従って、購入者は自宅にわざわざ持ち帰り、冷蔵庫で冷やしている事が多い為、水自動販売機の設置場所はスーパーマーケット等が主流と成っている。そこで、更に顧客から新たに常温水と冷水が同時に販売可能な水の自動販売装置の開発が求められている。
【０００６】
又、これまでに出願されているミネラル水の自動販売装置の特許文献を参考の為、紹介する。
【特許文献１】登録実用新案第３０１６５５７号
【特許文献２】特許公開平８−１１５４６５
【特許文献３】特許公開平１０−０４０４５９
【特許文献４】特許公開２００３−０３０７４０
【考案の開示】
【考案が解決しようとする課題】
【０００７】
そこで、上記課題を解決する為に、この考案は市販の空きボトルを使用して多量の常温水、又は少量の冷水が注入でき、且つ、設置場所を限定せずに広範囲に設置可能な常温水と冷水が同時販売可能な自動販売装置を開発・提供する事にある。
【課題を解決するための手段】
【０００８】
この課題を解決する為の手段として、給水配管部にそれぞれ並列接続して設けた冷却水製造装置と、ミネラル濃縮液を注入したミネラルタンクとミネラル注水ポンプを組み合せたミネラル水注入装置と、ミネラルを可変濃度で冷水及び常温水を安定して注水する為の
制御部と、希望濃度及び水量選択ボタンから成り、該希望濃度及び水量選択ボタンと制御部、及び制御部とミネラル注水ポンプ、制御部と冷却水製造装置とをそれぞれ連動させる事により、安定した常温水及び冷水を注入可能にした事を特徴とするものである。
【考案の効果】
【０００９】
この考案の効果として、給水配管部にそれぞれ並列接続して設けた冷却水製造装置と、ミネラル濃縮液を注入したミネラルタンクとミネラル注水ポンプを組み合せたミネラル水注入装置と、ミネラル冷水及びミネラル常温水を安定して注水する為の制御部と、希望濃度及び水量選択ボタンから成り、該希望濃度及び水量選択ボタンと制御部、及び制御部とミネラル注水ポンプ、制御部と冷却水製造装置とをそれぞれ連動させる事により、安定した常温水及び冷水を注入可能にした事で、市販の空きボトルを使用して直接常温水又は冷水が購入可能に成り、且つ、自動販売機の設置場所がスーパー等の特定場所に限定されず、コンビニエンスストア、駅、病院、工場、学校、商店街等、広範囲になる為、利用客が増大し、販売力の向上に寄与する等、極めて有益なる効果を奏するものである。
【考案を実施するための最良の形態】
【００１０】
この考案の最良の形態として、従来のケーシング内に新たな冷却水製造装置という新たな機能を追加しても改造部分を必要以上に増やさずに、極力互換性を保つ事で、コストアップ要因を増やさない事が重要なポイントと成る。
【実施例１】
【００１１】
そこで、この考案の一実施例を図１〜図２に基づいて詳述すると、水を販売するケーシング（Ｂ）で多量の水を出す場合は常温水を注水し、少量の水を出す場合は冷水を注水可能な自動販売機であって、該自動販売機は給水配管部にそれぞれ並列接続して設けた冷却水製造装置（４）と、ミネラル濃縮液を注入したミネラルタンク（１）とミネラル注水ポンプ（３）を組み合せたミネラル注入装置と、ミネラル冷水及びミネラル常温水を安定して注水する為の制御部（２）と、希望濃度及び水量選択ボタン（Ｇ）から成り、該希望濃度及び水量選択ボタン（Ｇ）と制御部（２）、及び制御部（２）とミネラル注水ポンプ（３）、制御部（２）と冷却水製造装置（４）とをそれぞれ連動させる事により、安定した常温水及び冷水を注入可能にした事を特徴とする常温水と冷水が同時販売可能な自動販売装置から構成される。
【００１２】
次に、この考案の詳細について一例を説明すると、多量の水とはここでは２リットル以上の容器に注水する場合を示し、この時は常温水を注水する。又、少量の水とはここでは０．５リットル以下の容器に注水する場合を示し、この時は冷水を注水する。
【００１３】
又、取り扱い方法について説明すると、まず、最初に容器（Ｘ）をセットボックス（ＳＢ）内にセットする。そして、次にカードリーダー又はコインメカ部（ＣＲ）へカード又はコインを挿入する。続いてケーシング（Ｂ）に設けた希望濃度選択ボタン（Ｇ）を押して常温水と冷水の選択をすると、制御部（２）に指令が送られ、選択した方の水（常温水又は冷水）が注水される。
【００１４】
そして、図１のフローチャート図に示すようにケーシング（Ｂ）側の給水配管部に冷却水製造装置（４）を新たに並列接続して設け、且つ、該冷却水製造装置及び給水配管部には逆流防止用の逆流防止弁（ＣＶ）、電磁弁（ＳＶ）をそれぞれ設けられている。
【産業上の利用可能性】
【００１５】
この考案の常温水と冷水が同時販売可能な自動販売装置は、市販の空きボトルを使用して多量の常温水、又は少量の冷水が注入でき、且つ、設置場所を限定せずに広範囲に設置可能な常温水と冷水が同時販売可能に成る為、多くの飲食関係市場に寄与する点で産業上の利用可能性を有する。
【図面の簡単な説明】
【００１６】
【図１】この考案の一実施例を示し、フローチャート図である。
【図２】この考案の一実施例を示し、サーバー部のケーシングを示す正面図である。
【符号の説明】
【００１７】
１  ミネラルタンク
２  制御部
３  注水ポンプ
４  冷却水製造装置（チラー）
Ｂ  サーバー部のケーシング
ＣＲ  カードリーダー又はコインメカ部
ＣＶ  逆止弁
Ｇ  希望濃度及び水量選択ボタン
ＳＢ  容器セットボックス
ＳＶ  電磁弁
Ｘ  容器
【図１】
0003142439.tif 000003
【図２】
0003142439.tif 000004